(57)【要約】【課題】流路の抵抗と外気のスムーズ取り入れを図り、洗浄直後の水切れをよくすることを目的とする。【解決手段】貯湯タンク８の天面８ａにバキューム弁１２を設置し、貯湯タンク８の底面８ｂの一部を上方に凹陥した凹陥部８ｃを有し、前記凹陥部８ｃには洗浄水を流出する流出口１３を設け、前記流出口１３と前記洗浄ノズル５を連通する構成とすることにより、貯湯タンク８から洗浄ノズル５への流路の抵抗の減少と外気のスムーズな取り入れが可能となり、洗浄後ノズル５からの残水の放流時間を短縮し、洗浄直後の水切れを浴することができる。【選択図】図２
2007100371.tif 000002
【特許請求の範囲】
【請求項１】
便器上に載置した本体と、人が座る便座と、人体局部を洗浄する洗浄ノズルと、前記本体内に配置し洗浄水を貯める貯湯タンクと、前記貯湯タンク内への外気の流入を制御するバキューム弁を備え、前記貯湯タンクは天面に前記バキューム弁を設置し、底面の一部を上方に凹陥した凹陥部を形成し、前記凹陥部に洗浄水を流出する流出口を設置し、前記流出口と前記洗浄ノズルを連通する構成としたトイレ装置。
【請求項２】
洗浄ノズルの少なくとも一部を貯湯タンク底面の凹陥部の下方に設けた請求項１に記載のトイレ装置。
【請求項３】
貯湯タンク内に、流出口に連通するガイドパイプを上方に向けて設置し、前記ガイドパイプの上端開口を貯湯タンクの天井面の近傍に配設した請求項１または２に記載のトイレ装置。
【請求項４】
洗浄ノズルの洗浄水流入口と貯湯タンクの流出口を直接接続した請求項１〜３のいずれか１項に記載のトイレ装置。
【請求項５】
バキューム弁を流出口の略真上に配設した請求項１〜４のいずれか１項に記載のトイレ装置。
【発明の詳細な説明】
【技術分野】
【０００１】
本発明は、人体局部の洗浄などに使用されるトイレ装置の貯湯タンクに関するものである。
【背景技術】
【０００２】
従来この種のトイレ装置は、洗浄水を貯える貯湯タンクの側方に洗浄ノズルを設置し、貯湯タンクの天面に設置した吐水口と洗浄ノズルをホースで接続することにより、貯湯タンク内に貯えた洗浄水を洗浄ノズルに供給する構成となっており、貯湯タンクの天面にはバキューム弁が設置してある（例えば、特許文献１参照）。
【特許文献１】特開２００２−２９４８３２号公報
【発明の開示】
【発明が解決しようとする課題】
【０００３】
しかしながら、前記従来の構成では、貯湯タンクと洗浄ノズルを並べて配置するため、トイレ装置本体のコンパクト化を図ることが難しく、また貯湯タンクと洗浄ノズルをホースで接続するため、構成部品や接続箇所が多くなり、組み立ての手間が掛かるとともに、流路の抵抗が多くなり、洗浄直後にホース内に残った洗浄水がノズルから放流する時間が長くなり、水切れが悪くなる課題があった。
【０００４】
本発明は、前記従来の課題を解決するもので、流路の抵抗と外気のスムーズ取り入れを図り、洗浄直後の水切れをよくすることを目的とする。
【課題を解決するための手段】
【０００５】
前記従来の課題を解決するために、本発明のトイレ装置は、貯湯タンクの天面にバキューム弁を設置し、貯湯タンクの底面の一部を上方に凹陥した凹陥部を形成し、前記凹陥部には洗浄水を流出する流出口を設置し、前記流出口と前記洗浄ノズルを連通する構成としものである。
【０００６】
これによって、貯湯タンクから洗浄ノズルへの流路の抵抗の減少と外気のスムーズな取り入れが可能となり、また洗浄後ノズルからの残水の放流時間を短縮することができる。
【発明の効果】
【０００７】
本発明のトイレ装置は、流路の抵抗の減少と外気のスムーズな取り入れが可能となり、洗浄直後の水切れをよくすることができる。
【発明を実施するための最良の形態】
【０００８】
第１の発明は、便器上に載置した本体と、人が座る便座と、人体局部を洗浄する洗浄ノズルと、前記本体内に配置し洗浄水を貯める貯湯タンクと、前記貯湯タンク内への外気の流入を制御するバキューム弁を備え、前記貯湯タンクは天面に前記バキューム弁を設置し、底面の一部を上方に凹陥した凹陥部を形成し、前記凹陥部に流出口を設置し、前記流出口と前記洗浄ノズルを連通する構成とする。
【０００９】
これにより、局部洗浄時はバキューム弁が閉成し、水道の水圧により貯湯タンク内に水道水が流入するとともに、温水となった洗浄水が流出口より流出し、洗浄ノズルに送られた洗浄水は洗浄ノズルより噴出し、使用者の局部を洗浄する。
【００１０】
洗浄が終了し、水道水の流入が停止すると、バキューム弁が開成し貯湯タンク内の残圧
を抜く為に空気が貯湯タンク内に流入することにより、貯湯タンク内の残水がの流出口より流出し、貯湯タンクの流出口まで水位が下がるまで、洗浄ノズルから水が流れ出るとともに洗浄時に便器内に突出していた洗浄ノズルを収納位置へ良好に戻す事できる。
【００１１】
その時、流出口は貯湯タンクの凹陥部に設置してあるため水位の低下が少なく短時間に残水の流出を終えることができるとともに、貯湯タンクの天面にバキューム弁を設けたことにより、バキューム弁からの空気の流れが良好になり、水切れがよくなり、ノズルからの放流の時間を短縮できる。
【００１２】
第２の発明は、特に、第１の発明において、洗浄ノズルの少なくとも一部を貯湯タンク底面の凹陥部の下方に設けたことにより、貯湯タンクと洗浄ノズルを上下に重ねた配置することができため、トイレ装置本体をコンパクトにすることができる。また、貯湯タンクの容量を容易に増やす事ができる。
【００１３】
第３の発明は、特に、第１または第２の発明において、貯湯タンク内に、流出口に連通するガイドパイプを上方にむけて設置し、前記ガイドパイプの上端開口を貯湯タンクの天井面の近傍に配設することにより、洗浄後に流出する残水の量を少なくすることができるため、残水が流れる時間を短縮することができる。
【００１４】
第４の発明は、特に、第１〜３のいずれか１つの発明において、洗浄ノズルの洗浄水流入口と貯湯タンクの流出口を直接接続することにより、貯湯タンクと洗浄ノズルの接続に別部材を介在させる必要がないため、トイレ装置本体をよりコンパクト化できるとともに、ホースによる水漏れ不良、ホースの破損不良等の不良が無くなる。また、構造がシンプルにできるので流路の抵抗が少なくなるため、洗浄水の流れがよくなり、噴出強さが強くなるとともに、洗浄後の水切れがよくなり、残水が流れる時間を短縮することができる。第５の発明は、特に、第１〜４のいずれか１つの発明のバキューム弁を流出口の略真上に配設したことにより、洗浄タンクおよび流出口への外気の流入がスムーズになるため、水切れがよりよくなり、残水が流れる時間をより短縮することができる。
【００１５】
以下本発明の実施形態について、図面を参照しながら説明する。なお、本実施の形態によって発明が限定されるものではない。
【００１６】
（実施の形態１）
図１は、本発明の実施の形態１におけるトイレ装置の斜視図を示し、図３は貯湯タンクユニットの断面図を示すものであり、図３はトイレ装置の水回路図を示すものである。
【００１７】
図に示すように本発明のトイレ装置は、便器１に本体２を戴置固定し、本体２に便座３と便蓋４を回動自在に枢支している。本体２内には人体局部を洗浄する洗浄ノズル５と、洗浄ノズル５に温水を供給する貯湯タンクユニット６と、制御手段（図示せず）が組み込んであり、貯湯タンクユニット６への水の供給は、図３に示すように、止水弁７を介して水道直結で水道の水圧により供給する構成となっている。
【００１８】
貯湯タンクユニット６は、洗浄水を貯留する貯湯タンク８と、貯湯タンク８の下部に配設した温水ヒータ１０と、サーミスタ９と、温水ヒータ１０の熱をサーミスタ９に熱伝導させる放熱部材１１と、貯湯タンク８の天面８ａにはバキューム弁１２が設置してある。貯湯タンク８の底面８ｂの一部は上方に凹陥した凹陥部８ｃを形成しており、凹陥部８ｃに対応する部分は貯留した洗浄水の水深が浅くなる構成となっている。凹陥部８ｃには洗浄水を流出する流出口１３が設置してあり、貯湯タンク８の流出口１３の下面には洗浄ノズル５の洗浄水流入口５ａが直接接続してある。また、貯湯タンク８の底面８ｂには止水弁７より水道水を給水する給水口１４が設けてある。
【００１９】
前記、温水ヒータ１０、放熱部材１１、サーミスタ９は、凹陥部８ｃ以外の水深の深い位置で、凹陥部８ｃ上面より低い位置となる貯湯タンク８の底面８ｂに近い位置に設置してあり、温水ヒータ１０、放熱部材１１、サーミスタ９は互いに接触しあう構成である。また、貯湯タンク１０への水道水の供給口（図示せず）もこの水深の深い部分の底面８ｂに設置してある。また、バキューム弁１２の設置位置は流出口１３の略直上に設けている。
【００２０】
以上のように構成されたトイレ装置について、以下その動作、作用を説明する。
【００２１】
水道に直結した止水弁７を開放することにより、給水口１４より水道水が給水され貯湯タンク６内を充填すると、止水弁７開放中は洗浄タンク８内の圧力が高まり、バキューム弁１２は閉成した状態となっているが、止水弁７が閉成されると貯湯タンク６内に余分に送水された水道水は流出口１３より洗浄ノズル５を通って便器１内に放流される。
【００２２】
貯湯タンク６内に水道水が充満し、止水弁７を閉じると貯湯タンク８内には、凹陥部８ａ以下の水深の深い部分にのみ水道水が満たされ、図２に示すように流出口１３のレベルの水位を維持した状態となり、温水ヒータ１０を通電することにより水道水は加熱され、サーミスタ９の検知により洗浄に最適な温度の洗浄水として貯留される。
【００２３】
局部を洗浄するときは、止水弁を開放することにより貯湯タンク８の底面８ｂに設けた給水口１４より水道水が貯湯タンク８内に送水されると、バキューム弁１２が閉成し、貯湯タンク８内に貯留されていた洗浄水は上方に押し上げられ、流出口１３より洗浄ノズル５に送られ、洗浄ノズル５の先端より噴出し、人体局部を洗浄する。
【００２４】
洗浄終了後、止水弁７閉じると、バキューム弁１２が開放され貯湯タンク８内に外気が導入されることにより、流出口１３より高い位置の洗浄水は残水として流出口１３より流出し、洗浄ノズル５の汚れを洗浄して便器１内に放流され、流出口１３まで水位が低下した時点で、残水の流出は停止する。
【００２５】
以上のように、本実施の形態では貯湯タンクの底面に設けた凹陥部に流出口を設け、流出口の略直上にバキューム弁１２を設置したことで、洗浄後の残水の流出量を一定にすることができ、しかも貯湯タンク内の残圧を抜く時、バキューム弁からスムーズに空気が入り、貯湯タンクの流出口へ良好に空気が流れる構成となっている。そのため、洗浄後ノズル５から放流する時間を短縮する事ができ、水切れが良くなるのである。
【００２６】
特に、一般的に貯湯タンクの強度を高めるための設計として採用される貯湯タンク内の上部にリブを建てた場合、リブが障害となりバキューム弁からの空気が流出口の方へ良好に流れにくくなる。しかしながら本実施の形態に示すように貯湯タンク８の流出孔の略直上にバキューム弁を設けた構成にすることで空気の流れが良好となり、残水の放流時間を短縮できる。
【００２７】
なお、本実施形態においては、図２に示すように、凹陥部８ｃは貯湯タンク８の底面８ｂの一方側を凹陥する構成としたが、凹陥する位置、形状はこれに限るものではなく、図４に示すように貯湯タンク８の底面８ｂの中央部に凹陥部８ｃを設けることもできる。中央部に設けることにより、貯湯タンク８はトイレ装置の本体２の中央に略左右対称形状で配置することが可能となり、また、貯湯タンク８の高さを低くすることも可能となるため、コンパクトなトイレ装置を提供することが可能となる。
【００２８】
また、本実施の形態においては、貯湯タンクの流出口に洗浄ノズルの洗浄水流入口を直
接接続する構成としたが、これに限るものではなく、流出口と洗浄水流入口をホース等の連通手段を介して接続してもよく、このような構成にすることにより、貯湯タンクと洗浄ノズルの設置位置の自由度を高めることができる。
【００２９】
（実施の形態２）
図５は、本発明の実施の形態２におけるトイレ装置の貯湯タンクユニットの断面図を示すものである。
【００３０】
本実施の形態が実施の形態１と異なる点は、図５に示す様に、貯湯タンク８の流出口１３より上方に向けて筒状のガイドパイプ１５を設け、ガイドパイプ１５の上端開口１５ａが貯湯タンク８の天面８ａに近接する位置に設けてある。
【００３１】
なお、実施の形態１と同一符号を付したものは、実施の形態１と同じ機能を備えたものであり、再度の説明は省略する。
【００３２】
以上のように構成することで、洗浄後に残水として流出する洗浄水はガイドパイプ１５の上端開口１５ａと貯湯タンク８の天面８ａ間に貯留した洗浄水のみとなり、流出する残水を少なくすることができるため、洗浄後ノズルから放流する時間を短縮することができるとともに、節水、節電の効果を得ることができる。
【００３３】
なお、本実施の形態においては、貯湯タンクの底面に凹陥部を形成し、凹陥部に設けた流出口にガイドパイプを連接して設置したが、この構成に限るものではなく、平坦な状態とした貯湯タンクの底面に流出口を設け、前記流出口に連接してガイドパイプを設置した構成でもよい。上記構成とすることにより、貯湯タンクの形状がシンプルとなり、加工性を向上することができる。
【産業上の利用可能性】
【００３４】
以上のように、本発明にかかるトイレ装置は、洗浄後ノズルからの残水の放流時間を短縮し、洗浄後の水切れを良くすることが可能となるので、給湯器などの水回り機器等の用途にも利用可能である。
【図面の簡単な説明】
【００３５】
【図１】本発明の実施の形態１におけるトイレ装置の斜視図
【図２】本発明の実施の形態１におけるトイレ装置の貯湯タンクユニットの断面図
【図３】本発明の実施の形態１におけるトイレ装置の水回路図
【図４】本発明の実施の形態における別の形状の貯湯タンクユニットの断面図
【図５】本発明の実施の形態２におけるトイレ装置の貯湯タンクユニットの断面図
【符号の説明】
【００３６】
１  便器
２  本体
３  便座
５  洗浄ノズル
５ａ  洗浄水流入口
８  貯湯タンク
８ａ  天面
８ｂ  底面
８ｃ  凹陥部
１２  バキューム弁
１３  流出口
１５  ガイドパイプ
１５ａ  上端開口
【図１】
2007100371.tif 000003
【図２】
2007100371.tif 000004
【図３】
2007100371.tif 000005
【図４】
2007100371.tif 000006
【図５】
2007100371.tif 000007